(57)【要約】      （修正有）【課題】操作が簡単で、計量に係わる内容物のみを注出できる注出器を提供する。【解決手段】先端開口２ａを有るノズルヘッド２と、ノズルヘッド内側にて溝型断面になる計量室ｍを区画形成する隔壁３ａを備えたアタッチメント３と、アタッチメント隔壁に沿い摺動しつつ進退移動可能なスライダー４と、オーバーキャップ７とを備えたものにて構成する。そして、スライダーを、容器底部に向かう後退移動の停止端にて計量室と容器内とをつなぐ通路ｔを形成するとともに前進移動にて通路を閉塞するベース４ａと、ベースにつながりノズルヘッド先端開口との相互間で極わずかな隙間ｃを形成しスライダーの前進移動にて先端開口から突出させる一方、その後退移動にて内側に収める頭部４ｂからなるものとし、頭部に、先端開口末端に密着して隙間を閉塞する弁部５を設け、ベースに、アタッチメント隔壁縁部に突き当たってその停止端を決定するストッパー６を設ける。【選択図】図１
2006036349.tif 000002
【特許請求の範囲】
【請求項１】
容器の内外につながる先端開口を有し該容器の口部に装着されるノズルヘッドと、このノズルヘッドの内側にて溝型断面になる計量室を区画形成する隔壁を備えたアタッチメントと、このアタッチメントの隔壁に沿い摺動しつつ進退移動可能なスライダーと、前記ノズルヘッドを収納してその外壁面もしくは容器の口部外壁において係合するオーバーキャップとを備え、
前記スライダーは、容器の底部に向かう後退移動の停止端にて計量室と容器内とをつなぐ通路を形成するとともにノズルヘッドの先端開口に向かう前進移動にて該通路を閉塞するベースと、このベースにつながりノズルヘッドの先端開口との相互間で極わずかな隙間を形成し該スライダーの前進移動にて先端開口から突出させる一方、その後退移動にて内側に収める頭部とからなり、
前記頭部に、スライダーの前進移動に際して先端開口の末端に密着して前記隙間を閉塞する弁部を設け、
前記ベースに、スライダーの後退移動に際してアタッチメントの隔壁縁部に突き当たってその停止端を決定するストッパーを設けたことを特徴とする定量注出器。
【請求項２】
前記ベースは、スライダーの頭部に連結する基体と、この基体の末端につながりその端縁を隔壁の全周にわたって密着するディスクと、該基体及びディスクに接続され該基体の周りに間隔をおいて放射状に配列された複数のリブからなり、
前記リブは、スライダーの後退移動に際してアタッチメントの隔壁縁部に突き当たってその停止端を決定する少なくとも１つのストッパーを有する、請求項１記載の定量注出器。
【請求項３】
前記オーバーキャップは、スライダーの頭部の先端に着脱自在に係合し該オーバーキャップの取り外し取り付けに際してスライダーを前進、後退移動させる連結片を有する請求項１又は２記載の定量注出器。
【請求項４】
前記オーバーキャップは、該オーバーキャップの取り付けに際してスライダーの頭部を先端開口の内側に押し込んでベースのストッパーをアタッチメントの隔壁縁部に突き当てるとともに先端開口を液密状態にシールする環状凸部を有する請求項１〜３の何れかに記載の定量注出器。
【発明の詳細な説明】
【技術分野】
【０００１】
本発明は、容器内の内容物を一回使用する分だけ取り出すのに好適な定量注出器に関するものである。
【背景技術】
【０００２】
育毛剤の如き薬液等、一回の使用量が定められたものは、容器内の内容物を取り出すに際しては計量する必要があり、従来は、中栓に配置された円筒部を適宜上下動させて第一弁及び第二弁を交互に開閉することで容器内の内容物を計量筒部に流し込み、該計量筒部内の内容物を注出口を通して外部へ排出するようにしていた（例えば、特許文献1参照）。
【特許文献１】特開２００２−３３７９１０号公報
【０００３】
ところで、従来のこの種の定量注出器は、計量にかかわる内容物を注出している最中に弁体に不用意な力が作用すると該弁体が簡単にスライドしてしまい、容器と計量筒部とを隔絶する弁が開放されることもあって、この場合、計量筒部内に必要以上の内容物が流れ込んでしまい定量注出ができないことが懸念された。
【発明の開示】
【発明が解決しようとする課題】
【０００４】
本発明の課題は、簡便な操作のもとで計量を行うことが可能で、計量に係わる内容物のみを確実に注出できる新規な定量注出器を提案するところにある。
【課題を解決するための手段】
【０００５】
本発明は、容器の内外につながる先端開口を有し該容器の口部に装着されるノズルヘッドと、このノズルヘッドの内側にて溝型断面になる計量室を区画形成する隔壁を備えたアタッチメントと、このアタッチメントの隔壁に沿い摺動しつつ進退移動可能なスライダーと、前記ノズルヘッドを収納してその外壁面もしくは容器の口部外壁において係合するオーバーキャップとを備え、
前記スライダーは、容器の底部に向かう後退移動の停止端にて計量室と容器内とをつなぐ通路を形成するとともにノズルヘッドの先端開口に向かう前進移動にて該通路を閉塞するベースと、このベースにつながりノズルヘッドの先端開口との相互間で極わずかな隙間を形成し該スライダーの前進移動にて先端開口から突出させる一方、その後退移動にて内側に収める頭部とからなり、
前記頭部に、スライダーの前進移動に際して先端開口の末端に密着して前記隙間を閉塞する弁部を設け、
前記ベースに、スライダーの後退移動に際してアタッチメントの隔壁の縁部に突き当たってその停止端を決定するストッパーを設けたことを特徴とする定量注出器である。
【０００６】
上記の構成になる定量注出器において、前記ベースは、スライダーの頭部に連結する基体と、この基体の末端につながりその端縁を隔壁の全周にわたって密着、容器の口部を閉塞させるディスクと、該基体及びディスクに接続され該基体の周りに間隔をおいて放射状に配列された複数のリブにて構成することができ、前記リブには、スライダーの後退移動に際してアタッチメントの隔壁縁部に突き当たってその停止端を決定する少なくとも１つのストッパーを設けるのが好ましい。
【０００７】
また、前記オーバーキャップには、スライダーの頭部の先端に着脱自在に係合し該オーバーキャップの取り外し取り付けに際してスライダーを前進、後退移動させる連結片を設けるのが望ましい。
【０００８】
さらに、前記オーバーキャップには、該オーバーキャップの取り付けに際してスライダーの頭部を先端開口の内側に押し込んでベースのストッパーをアタッチメントの隔壁縁部に突き当てるとともに先端開口を液密状態にシールする環状凸部を設けることができる。
【発明の効果】
【０００９】
オーバーキャップを取り付けた状態では、スライダーは計量室と容器内とが通路を通してつながっており、容器を反転させるだけで計量室内に容器内の内容物を取り入れることができ、さらに容器をもとの姿勢に戻すことにより内容物の計量を完了する。
【００１０】
内容物の計量を完了した後、オーバーキャップの取り外しに合わせてスライダーを前進移動させると、容器内につながる通路は閉塞し、再度容器を反転しても容器内の内容物が計量室内に流れ込むことがなく、計量した内容物のみの注出が可能になる。
【発明を実施するための最良の形態】
【００１１】
以下、図面を参照して本発明をより具体的に説明する。
図１は本発明に従う定量注出器の実施の形態を示したものである。
【００１２】
図における１は容器、２は容器１の口部１ａに装着されるノズルヘッドである。このノズルヘッド２は容器１の内外につながる先端開口２ａを有している。
【００１３】
また、３はノズルヘッド２の内側にて該ノズルヘッド２の内壁と協働して溝型断面になる計量室ｍを区画形成するアタッチメントであって、このアタッチメント３はこの例では、環状の隔壁３ａを備えるものとして示してある。
【００１４】
４はアタッチメント３の隔壁３ａに沿い摺動しつつ進退移動可能なスライダーである。このスライダー４は、容器１の底部に向かう後退移動（x方向）の停止端において計量室ｍと容器内とをつなぐ通路ｔを形成することができるようになっており、ノズルヘッド２の先端開口２ａに向かう前進移動（x′方向）にて通路ｔを閉塞するベース４ａと、このベース４ａにつながりノズルヘッド２の先端開口２ａとの相互間で極わずかな隙間ｃを形成する頭部４ｂ（隙間ｃは頭部４ｂに縦溝、縦リブ、凹部等を設けることで成形できる）からなる。
【００１５】
上記ベース４ａは、頭部４ｂに連結する基体４ａ１と、この基体４ａ１の末端につながりその端縁を隔壁３ａの全周にわたって密着させて容器１の口部１ａを閉塞させるディスク４ａ２と、該基体４ａ１及びディスク４ａ２に接続され該基体４ａ１の周りに間隔をおいて放射状に配列される複数のリブ４ａ３からなっており、頭部４ｂはスライダー４の前進移動にて先端開口２ａから突出し、その後退移動にて先端開口２ａの内側に収まる。
【００１６】
５は頭部４ｂに一体的に設けられた例で示した弁部である。この弁部５はスライダー４の前進移動にてノズルヘッド２の先端開口２ａの末端に密着して隙間ｃを閉塞する。
【００１７】
また、６はベース４ａのリブ４ａ３に設けられたストッパーである。このストッパー６はスライダー４の後退移動に際してアタッチメント３の隔壁３ａの縁部に突き当たってその停止端を決定する。
【００１８】
さらに、７はノズルヘッド２を収納してその外壁面（容器１の口部外壁でもよい。）においてねじもしくはアンダーカット係合するオーバーキャップである。このオーバーキャップ７はスライダー４の頭部４ｂの先端に着脱自在にアンダーカット係合し該オーバーキャップ７の取り外し取り付けに際してスライダー４を前進、後退移動させる連結片７ａと、オーバーキャップ７の取り付けに際してスライダー４の頭部４ｂを先端開口２ａの内側に押し込んでベース４ａ（リブ４ａ３）のストッパー６をアタッチメント３の隔壁３ａの縁部に突き当てる環状凸部７ｂを有している。この環状凸部７ｂは、オーバーキャップ７の取り付け状態で先端開口２ａを液密常態にシールしている。
【００１９】
スライダー４が後退移動して停止端に位置している図１に示したような状態（ストッパー６がアタッチメント３の隔壁３ａの縁部に突き当たっている。）では、計量室ｍと容器１内は通路ｔによってつながっていることから、図２に示すように容器１を反転し、さらに、再度もとの姿勢に戻すことで計量室ｍ内には所定量の内容物が貯留することになり、ここで計量が完了する。
【００２０】
計量を終えた後、オーバーキャップ７を回動させていくと、図３示すように、それとともにスライダー４は引き上げられていき（前進移動）、ベース４ａのディスク４ａ２が隔壁３ａに到達することで、通路ｔが閉塞される。スライダー４の前進移動は、頭部４ｂの弁部５が先端開口２ａの末端に当接することにより停止し、ここで容器１を反転しても容器内の内容物が計量室ｍ内には流れ込むことはなくなる。
【００２１】
計量室ｍ内の内容物を注出するには、先端開口２ａより突出したスライダー４の頭部４ｂを塗布すべき部位に押し当てることにより行う。そうすると、スライダー４は図４に示すように後退移動し、弁部５がノズルヘッド２の先端開口２ａ末端から離反することとなり、隙間ｃを通して計量室ｍ内の内容物が外界へと流れ出る。
【００２２】
内容物を注出する際のスライダー４の後退移動においては、スライダー４のディスク４ａ２がアタッチメント３の隔壁３ａに常に接触していることが重要であって、これにより、容器内と計量室ｍとが確実に遮断される。
【００２３】
スライダー４を図１に示したような状態（計量可能状態）に戻すには、容器１を起立させ（引き起こす）、オーバーキャップ７を取り付け、該オーバーキャップ７の凸部材７ｂにてスライダー４を停止端までさらに後退移動させればよい。
【００２４】
本発明にしたがう定量注出器はその構成部材を全て合成樹脂にて構成できるが、材質そのものについては、とくに限定されない。
【００２５】
例えば、上掲の実施例では計量室ｍをアタッチメント３とノズルヘッド２の内壁とを協働させることにより区画形成しているが、アタッチメント３の外周側壁を延長して、アタッチメント３のみで計量室ｍを形成することも可能である。また、スライダー４のベース４ａは、ロッド状の基体４ａ１とディスク４ａ２と複数のリブ４ａ３を組み合わせて構成したものを例として示したが、スライダー４の前進移動、後退移動により、通路tを確実に開閉できるものであれば、とくに、実施例で示した構造のものには限定されることはなく、複数のリブ４ａ３に代えて複数の溝部として形成することも可能であり、内容物の種類や注出器のサイズに応じて適宜構造の変更が可能である。
【００２６】
とくに、スライダー４の頭部４ｂはその径を大きくしたり、末広がり形状としてもよく、育毛剤等の薬品類の注出塗布器として使用する場合には、その先端に１個以上の突起を形成することで、刺激、マッサージ効果等を発揮させることができる。
【産業上の利用可能性】
【００２７】
計量を簡便かつ迅速に行え、計量に係わる内容物のみの注出が可能な定量注出器が提供できる。
【図面の簡単な説明】
【００２８】
【図１】本発明にしたがう定量注出器の実施の形態を示した図である。
【図２】図１に示した注出器の計量要領の説明図である。
【図３】図１に示した注出器の注出要領の説明図である。
【図４】図１に示した注出器の注出要領の説明図である。
【符号の説明】
【００２９】
１  容器
１ａ  口部
２  ノズルヘッド
２ａ  先端開口
３  アタッチメント
３ａ  環状の隔壁
４  スライダー
４ａ  ベース
４ｂ  頭部
５  弁部
６  ストッパー
７  オーバーキャップ
７ａ  連結片
７ｂ  環状凸部
ｍ  計量室
ｃ  隙間
【図１】
2006036349.tif 000003
【図２】
2006036349.tif 000004
【図３】
2006036349.tif 000005
【図４】
2006036349.tif 000006